(57)【要約】【課題】使い捨てカイロの発熱組成物による発熱を利用した芳香具において、長期間保存することができ、使用の際には効率よく香料、薬剤が拡散し、これらの効果が充分に得られる芳香具を提供する。【解決手段】▲１▼香料または薬剤が収納された通気性の内袋を非通気性の外袋に密封した芳香袋、▲２▼空気中の酸素と接触して発熱する発熱組成物が収納された通気性の内袋を非通気性の外袋に密封した発熱袋、及び▲３▼芳香袋の内袋と発熱袋の内袋を収納することが可能な通気性の包装体からなる芳香具とする。【選択図】  図５
2004180959.tif 000002
【特許請求の範囲】
【請求項１】
香料または薬剤が収納された通気性の内袋を非通気性の外袋に密封した芳香袋、空気中の酸素と接触して発熱する発熱組成物が収納された通気性の内袋を非通気性の外袋に密封した発熱袋、及び該芳香袋の内袋と該発熱袋の内袋を収納することが可能な通気性の包装体からなることを特徴とする芳香具。
【請求項２】
香料または薬剤が、球状、円柱状、円筒状、粒状、またはペレット状に成型された形態、または固体の担体の表面に添着された形態で通気性の内袋に収納されたものである請求項１に記載の芳香具。
【請求項３】
香料または薬剤が、シート状物に含浸された形態、または無機質担体に担持された形態で通気性の内袋に収納されたものである請求項１に記載の芳香具。
【請求項４】
通気性の内袋、非通気性の外袋、及び通気性の包装体が偏平状のものである請求項１に記載の芳香具。
【請求項５】
芳香袋の内袋が、偏平状の袋であり、片面または両面がＪＩＳ  Ｐ８１１７透気度試験方法による透気度で２秒以下である包装材からなる請求項１に記載の芳香具。
【請求項６】
通気性の包装体の８０％以上が、厚さ０．５〜５ｍｍ、かつＪＩＳ  Ｐ８１１７透気度試験方法による透気度で２秒以下である包装材からなる請求項１に記載の芳香具。
【請求項７】
通気性の包装体の８０％以上が、不織布、織布、針孔を有するプラスチックフィルムと不織布の貼り合せ包装材、または針孔を有するプラスチックフィルムと織布の貼り合せ包装材からなる請求項１に記載の芳香具。
【請求項８】
芳香袋の内袋及び発熱袋の内袋が、偏平状の袋であり、該芳香袋の内袋の片面または該発熱袋の内袋の片面に粘着部を設けた請求項１に記載の芳香具。
【発明の詳細な説明】
【０００１】
【発明の属する技術分野】
本発明は香料または薬剤を加熱して芳香を発生させる芳香具に関する。さらに詳細には、空気中の酸素と接触して発熱する発熱組成物を利用して、芳香を発生させる芳香具に関するものである。
【０００２】
【従来の技術】
近年、長引く不況や急激な社会情勢の変化により、ストレス症候群あるいは自律神経失調等をきたす人が増加している。このような状況下でアロマセラピー等の香料あるいはその他の薬剤を用いて心身ともにリラックスさせ、前記のような体調不良を治療する方法が注目されている。
このような香料あるいは薬剤は、通常は比較的に低い温度で蒸発する液体または昇華性を有する固体であり、これらを種々の方法で加熱し周囲に拡散させるとともに芳香を発生させることにより使用されている。
【０００３】
従来から、香料、薬剤を加熱して芳香を発生させる方法としては、香料または薬剤に直接着火する方法、電気エネルギーにより加熱する方法が多く用いられてきた。しかし、着火する方法は火災を起こす危険性があった。また、電気エネルギーを利用する方法は、専用の電気器具が必要でこれを時々修理、保全する手間がかかり、また旅行等の際には携帯するのに重くて嵩張るとともに壊れないように注意して持ち歩く必要があり不便であった。このため、安全性、便利性を考慮し、空気中の酸素と接触して発熱する発熱組成物（使い捨てカイロの発熱組成物）を用いた方法が開発されている。
【０００４】
このような使い捨てカイロの発熱組成物による発熱を利用した芳香具としては、例えば、▲１▼気密性の素材で外袋が形成され、内部が遮蔽材により２分されてなり、一方に香料含浸体、他方に発熱組成物が収納され、外袋には孔または切離されることにより孔となるミシン目状切込みが形成されており、これを圧感接着剤層を設けた剥離可能な密閉材により被覆してなる香料封入体（特開昭５７−１１９７５３号公報）、▲２▼使い捨てカイロの発熱原理を使ったカイロ製品の表面に、薬剤または香料を含ませ又は湿布したものを取りつけ、熱によって薬剤または香料の揮発、拡散を促進させる芳香具（特開２００１−２１８８１６号公報）等がある。
【０００５】
【発明が解決しようとする課題】
しかしながら、前記▲１▼の香料封入体は、圧感接着剤層を設けた密閉材を、手で容易に剥がすことができる程度の弱い接着力で密着させて被覆する必要があり、充分な気密性が得られず、長期間保存することができないという不都合があった。また、▲２▼の芳香具は、薬剤または香料と、発熱組成物が遮蔽されていないので、保存中に薬剤または香料の成分が発熱組成物に吸着されてしまい、薬剤または香料の効果が減少するという不都合があった。さらに使い捨てカイロの発熱組成物による発熱を利用した芳香具は、火あるいは電気エネルギーを利用した芳香具より加熱が弱く、効率よく香料、薬剤の効果が得られないという欠点があった。従って、本発明が解決しようとする課題は、火気、電気が不要な使い捨てカイロの発熱組成物による発熱を利用した芳香具において、長期間保存することができ、使用の際には効率よく香料、薬剤の効果が得られる芳香具を提供することである。
【０００６】
【課題を解決するための手段】
本発明者らは、これらの課題を解決すべく鋭意検討した結果、香料または薬剤を、発熱組成物と同様に、通気性の内袋に収納した後、さらに非通気性の外袋に密封した構成とすることにより芳香具を長期間保存することができこと、及び、芳香具を使用する際には、外袋から前記通気性の内袋を取り出し、発熱組成物が収納された通気性の内袋とともに、保温性及び通気性を有する包装体に収納して、包装体の内部から外部に熱を逃がさないように香料または薬剤を加熱して使用することにより、効率よく香料、薬剤の効果が得られることを見い出し本発明に到達した。
【０００７】
すなわち本発明は、香料または薬剤が収納された通気性の内袋を非通気性の外袋に密封した芳香袋、空気中の酸素と接触して発熱する発熱組成物が収納された通気性の内袋を非通気性の外袋に密封した発熱袋、及び該芳香袋の内袋と該発熱袋の内袋を収納することが可能な通気性の包装体からなることを特徴とする芳香具である。
【０００８】
【発明の実施の形態】
本発明の芳香具は、心身ともにリラックスできる効果のある香料または薬剤を加熱し周囲に拡散させる芳香具に適用される。
本発明の芳香具は、▲１▼香料または薬剤が収納された通気性の内袋を非通気性の外袋に密封した芳香袋、▲２▼空気中の酸素と接触して発熱する発熱組成物が収納された通気性の内袋を非通気性の外袋に密封した発熱袋、及び▲３▼芳香袋の内袋と発熱袋の内袋を収納することが可能な通気性の包装体からなる芳香具である。
【０００９】
本発明の芳香具に使用できる香料または薬剤としては、空気中の酸素と接触して発熱する発熱組成物の発熱温度（４０℃〜８０℃程度の温度）で蒸発する液体状のもの、または前記の温度で昇華する固体状のものであれば特に限定されることがなく、例えば、ユーカリオイル、ペパーミント、メンソール、楠木エキス、メチルサリチルオイル、ラベンダー等の香料または薬剤を挙げることができる。前記の香料または薬剤は、常温、常圧で固体の場合は、通常は、球状、円柱状、円筒状、粒状、またはペレット状に成型された形態、あるいは固体の担体の表面に添着された形態で使用される。また、常温、常圧で液体の場合は、通常は、不織布、織布等のシート状物に含浸された形態、あるいはシリカゲル等の無機質担体に担持された形態で使用される。
【００１０】
また、本発明の芳香具において、空気中の酸素と接触して発熱する発熱組成物としては、被酸化性金属粉、活性炭、無機電解質、水、保水剤等の混合物であり、従来から使い捨てカイロの構成成分として公知のものが使用される。
被酸化性金属粉としては、鉄粉、亜鉛粉、アルミニウム粉等であるが、通常は鉄粉が用いられ、還元鉄粉、アトマイズド鉄粉、電解鉄粉等が利用される。活性炭は反応助剤の他、保水剤としても使用され、通常は椰子殻炭、木粉炭、ピート炭等が用いられる。無機電解質としては、アルカリ金属、アルカリ土類金属、重金属の塩化物、及びアルカリ金属の硫酸塩等が好ましく、例えば、塩化ナトリウム、塩化カリウム、塩化カルシウム、塩化マグネシウム、塩化第二鉄、硫酸ナトリウム等が用いられる。
【００１１】
保水剤としては、保水性の高いものであるとともに、発熱袋の長期保存中に変質を生じないものであれば特に限定されず、例えば真珠岩粉末、バーミキュライト、木粉、高分子吸水剤等が用いられる。
発熱組成物の組成割合は、香料または薬剤の種類、充填量、芳香具の使用環境等によって異なり一概には特定できないが、発熱組成物中の組成割合として、通常は、被酸化性金属粉が３５〜６０ｗｔ％、活性炭が４〜２５ｗｔ％、水が１０〜３０ｗｔ％である。その他、所望により、水素発生抑制剤、固結防止剤等を加えることもできる。
【００１２】
本発明における芳香袋は、図１及び図２に示すように、香料または薬剤１が、通気性の内袋２に収納され、さらに使用されるまでの保存期間中に香料、薬剤が外部に拡散しないように、内袋２が非通気性の外袋３に密封されて芳香袋とされる。また、本発明における発熱袋は、図３及び図４に示すように、発熱組成物４が、通気性の内袋５に収納され、さらに使用されるまでの保存期間中に熱組成物が空気と接触しないように、内袋５が非通気性の外袋６に密封されて発熱袋とされる。尚、図１及び図２において、香料または薬剤１は、シート状物に含浸された形態、または無機質担体に担持された形態で通気性の内袋２に収納することも可能である。また、図３及び図４において、発熱組成物４は、空隙を有するシート状物に保持された形態で通気性の内袋５に収納することも可能である。
【００１３】
本発明における芳香袋、発熱袋の形状は、特に制限されることはないが、使用の際に各々の内袋の接触面積を大きくできる点で偏平状であることが好ましく、さらに偏平状袋の形状としては、台形、菱形、円形、楕円形等とすることもできるが、製造工程上、正方形あるいは長方形とすることが好ましい。また、芳香袋、発熱袋の大きさも、特に制限されることはないが、通常は名刺と同等程度の大きさから、日本工業規格Ａ列４番程度の大きさまでのものが用いられる。
【００１４】
芳香袋、発熱袋における通気性の内袋の包装材構成としては、例えばこれらが偏平状の袋の場合、袋の片面に通気性包装材を用い、他の片面に非通気性包装材を用いる構成、または袋の両面に通気性包装材を用いる構成とすることが製造工程上好ましいが、袋の一部が通気性の面になるような構成であってもよい。
通気性の包装材としては、例えば、不織布、織布、紙等の単独包装材のほか、微細な貫通孔を有する多孔質フィルムの単独包装材、不織布または織布にポリエチレンフィルム等が貼り合された非通気性の包装材に微細な孔を開けて通気性を持たせた包装材、不織布と多孔質フィルムを貼り合せた包装材、あるいは繊維が積層され熱圧着されて通気性を制御された不織布より成る包装材等を挙げることができる。
【００１５】
ここで、多孔質フィルムとは、メタノールバブリング法による最大孔径が０．００１〜２０μｍ程度の微細な貫通孔を有するフィルムであり、例えば合成樹脂フィルムを二軸延伸することによって貫通孔を設けたもの、あるいは溶融したポリエチレン、ポリプロピレンなどに炭酸カルシウムなどの無機系微細粉末を分散させた後、フィルム状に押出し、得られたフィルムをさらに延伸させて、貫通孔を設けたもの等である。これら多孔質フィルムの市販品としては、例えば（株）トクヤマ製のポーラム及びＮＦシート、積水化学工業（株）製のセルポア、日東電工（株）製のブレスロン、デュポン（株）製のタイベック等がある。
【００１６】
尚、芳香袋の内袋の通気性包装材としては、前述のように種々の包装材を用いることができるが、使用の際に効率よく香料、薬剤を拡散できる点で、ＪＩＳ  Ｐ８１１７透気度試験方法による透気度が２秒以下である包装材を用いることが好ましい。また、発熱袋の通気性包装材としては、常温（２０℃）、無風状態において、発熱組成物が空気中の酸素と接触して４０〜８０℃程度、好ましくは５０〜７０℃程度になるように包装材の種類が選ばれる。
【００１７】
また、本発明の芳香具において、芳香袋、発熱袋に使用される非通気性の包装材としては、例えば、ポリエチレンフィルム、ポリプロピレンフィルム等の非通気性フィルムの単独包装材、あるいは不織布にポリエチレンフィルム、ポリプロピレンフィルム等を貼り合せた包装材等を挙げることができる。
また、芳香袋、発熱袋が偏平状である場合、使用の際にこれらの内袋が確実に接触するように、どちらか一方の内袋の片面または両方の内袋の片面に粘着部を設けることもできる。粘着部を設ける場合、通常は使用されるまでの期間中、剥離紙等により粘着部が被覆される。
【００１８】
偏平状の芳香袋を製作する場合は、通常は通気性包装材と非通気性包装材、あるいは通気性包装材同士を熱融着性面が互いに内側となるようにして重ね合せ、外周部を加熱融着することにより貼り合せて袋状に成形するとともに、この中に固体の香料または薬剤、あるいは液体の香料または薬剤が含浸されたシート状物を充填して内袋とし、さらに前記と同様にして非通気性包装材を袋状に成形するとともに、この外袋に内袋を密封することにより製作される。
【００１９】
また、偏平状の発熱袋を製作する場合は、通常は通気性包装材と非通気性包装材、あるいは通気性包装材同士を熱融着性面が互いに内側となるようにして重ね合せ、外周部を加熱融着することにより貼り合せて袋状に成形するとともに、この中に発熱組成物、あるいは発熱組成物が保持されたシート状物を充填して内袋とし、さらに前記と同様にして非通気性包装材を袋状に成形するとともに、この外袋に内袋を密封することにより製作される。
【００２０】
本発明においては、前述の芳香袋、発熱袋、及びこれらの内袋を収納することが可能な通気性の包装体を併せて芳香具とされる。包装体の包装材としては、前述の芳香袋の内袋、発熱袋の内袋に用いられる通気性の包装材と同様のものを用いることができる。しかし、包装材の種類の点では、包装体の８０％以上が、不織布、織布、針孔を有するプラスチックフィルムと不織布の貼り合せ包装材、または針孔を有するプラスチックフィルムと織布の貼り合せ包装材であることが好ましい。また、包装材の保温性及び通気性の点では、包装体の８０％以上が、厚さ０．５〜５ｍｍ、かつＪＩＳ  Ｐ８１１７透気度試験方法による透気度で２秒以下である包装材が好ましい。
【００２１】
また、包装体の形状、大きさは、芳香袋と発熱袋を使用する際に、容易にこれらの内袋を出し入れすることができ、使用時にこれらを保持することができものであれば特に制限されることはないが、包装体の形状は、通常は、断面が楕円形、長方形、またはこれらに類似する形の筒状、一方向に開口部を有する袋状であり、包装体の大きさは、通常は芳香袋の内袋及び発熱袋の内袋の収納スペースより若干大きくなるようにされる。
【００２２】
本発明の芳香具は、芳香袋の外袋から香料または薬剤が収納された通気性の内袋を取り出すとともに、発熱袋の外袋から発熱組成物が収納された通気性の内袋を取り出して発熱を開始させた後、これらの内袋を図５及び図６のように通気性の包装体に収納することにより使用される。このような使用形態により、発熱組成物から発生する熱が、包装体の内部から外部に逃げ難くなり、効率よく香料、薬剤が加熱され空気中に拡散されやすくなる。
【００２３】
【実施例】
次に、本発明を実施例により具体的に説明するが、本発明がこれらにより限定されるものではない。
【００２４】
実施例１
（芳香具の製作）
坪量６０ｇ／ｍ２、厚さ０．１４ｍｍ、ＪＩＳ  Ｐ８１１７透気度試験方法による透気度が０．５秒のポリオレフィン繊維の積層不織布２枚を重ね合せ、長さ１３５ｍｍ、幅１００ｍｍに切断し、３方の周辺部を加熱融着することにより貼り合せて袋状に成形し偏平状の内袋を作成した。次に、ユーカリオイル３ｇとｌ−メントール２ｇをＢ型シリカゲルビーズ２５ｇに担持させた香料を、前記の偏平状袋に収納した後、残る１辺を加熱融着することにより貼り合せた。尚、貼り合せ部の幅は５ｍｍとした。さらにこの内袋を非通気性の外袋に密封して芳香袋を製作した。
【００２５】
また、ナイロン不織布とポリエチレンフィルムからなる包装材に針孔を開けた厚さ０．１８ｍｍの通気性包装材（ＪＩＳ  Ｐ８１１７透気度試験方法による透気度：１０秒）２枚を重ね合せ、長さ１３５ｍｍ、幅１００ｍｍに切断し、３方の周辺部を加熱融着することにより貼り合せて袋状に成形し偏平状の内袋を製作した。次に鉄粉２５ｇ、活性炭５ｇ、木粉５ｇ、塩化ナトリウム１．５ｇ、水１３ｇからなる発熱組成物を窒素雰囲気下で調製し、前記の偏平状袋に収納した後、残る１辺を加熱融着することにより貼り合せた。尚、貼り合せ部の幅は５ｍｍとした。さらにこの内袋を非通気性の外袋に密封して発熱袋を製作した。
【００２６】
さらに、坪量６０ｇ／ｍ２、厚さ２ｍｍ、ＪＩＳ  Ｐ８１１７透気度試験方法による透気度が０．５秒のポリオレフィン繊維の積層不織布２枚を重ね合せ、長さ１７０ｍｍ、幅１２５ｍｍに切断し、互いに対向する長辺の周辺部を加熱融着することにより貼り合せて筒状に成形し包装体を製作した。
以上のように製作した芳香袋、発熱袋、包装体からなる芳香具を、温度２０℃、相対湿度６０％の試験室に約１ヶ月放置した。
【００２７】
（芳香試験）
前述のように製作した５個の芳香具について、温度２０℃、相対湿度６０％、容積３０ｍ３の試験室で芳香試験を行なった。芳香試験は、芳香袋の外袋から香料が収納された通気性の内袋を取り出すとともに、発熱袋の外袋から発熱組成物が収納された通気性の内袋を取り出して発熱を開始させた後、これらの内袋を通気性の包装体に収納し、芳香の発生状況を調査することにより行なった。その結果、いずれの芳香具においても、発熱組成物は約８時間、５５〜６５℃の温度を維持し、この間試験室内には清涼な芳香が漂い、香料が充分に拡散されていることが感覚的に確認された。
【００２８】
実施例２
（芳香具の製作）
実施例１の芳香袋の製作において、香料としてユーカリオイル３ｇにｌ−メントール２ｇが溶解した香料を含浸した不織布を用いたほかは実施例１と同様にして芳香袋を製作した。また、実施例１と同様の発熱袋を製作した。さらに実施例１の包装体の製作において、３方の周辺部を加熱融着することにより袋状にしたほかは実施例１と同様にして包装体を製作した。
以上のように製作した芳香袋、発熱袋、包装体からなる芳香具を、温度２０℃、相対湿度６０％の試験室に約１ヶ月放置した。
【００２９】
（芳香試験）
前記のように製作した５個の芳香具について、実施例１と同様にして芳香試験を行なった。その結果、いずれの芳香具においても、発熱組成物は約８時間、５５〜６５℃の温度を維持し、この間試験室内には清涼な芳香が漂い、香料が充分に拡散されていることが感覚的に確認された。
【００３０】
比較例１
（芳香具の製作）
実施例１の芳香袋の製作において、芳香袋の内袋と発熱袋の内袋を１つの非通気性の外袋に密封して芳香具を製作したほかは実施例１と同様にして芳香具を製作した。この芳香具を、温度２０℃、相対湿度６０％の試験室に約１ヶ月放置した。
【００３１】
（芳香試験）
前記のように製作した５個の芳香具について、実施例１と同様にして芳香試験を行なった。その結果、いずれの芳香具においても、発熱組成物は約８時間、５５〜６５℃の温度を維持し、この間試験室内には清涼な芳香が漂ったが、その芳香は実施例１の場合に比べて少ないことが感覚的に確認された。
【００３２】
比較例２
実施例１と同様にして５個の芳香袋と５個の発熱袋を製作した。この芳香袋と発熱袋を、温度２０℃、相対湿度６０％の試験室に約１ヶ月放置した。これらの５組の芳香袋と発熱袋について、温度２０℃、相対湿度６０％、容積３０ｍ３の試験室で芳香試験を行なった。芳香試験は、芳香袋の外袋から香料が収納された通気性の内袋を取り出すとともに、発熱袋の外袋から発熱組成物が収納された通気性の内袋を取り出して発熱を開始させた後、これらの内袋を接触させて、芳香の発生状況を調査することにより行なった。その結果、いずれも発熱組成物の最高温度は４５〜５０℃であり、この間試験室内に漂う清涼な芳香は少なく、香料の拡散は不充分であることが感覚的に確認された。
【００３３】
【発明の効果】
本発明の芳香具は、香料または薬剤、発熱組成物が、各々非通気性の外袋に密封されており、使用の際にはこれらを外袋から取り出し通気性の包装体に収納して使用する構成なので、芳香袋を長期間保存することができるとともに、使用の際には包装体の内部から外部に熱が逃げ難くなり、効率よく香料、薬剤が拡散してこれらの効果を充分に得ることができる。
【図面の簡単な説明】
【図１】本発明の芳香具に用いられる芳香袋（一部切断）の例を示す斜視図
【図２】図１におけるａ−ａ’面の断面図
【図３】本発明の芳香具に用いられる発熱袋（一部切断）の例を示す斜視図
【図４】図３におけるｂ−ｂ’面の断面図
【図５】本発明の芳香具を使用する際の形態の例を示す斜視図
【図６】図５におけるｃ−ｃ’面の断面図
【符号の説明】
１  香料または薬剤
２  芳香袋の内袋
３  芳香袋の外袋
４  発熱組成物
５  発熱袋の内袋
６  発熱袋の外袋
７  包装体
【図１】
2004180959.tif 000003
【図２】
2004180959.tif 000004
【図３】
2004180959.tif 000005
【図４】
2004180959.tif 000006
【図５】
2004180959.tif 000007
【図６】
2004180959.tif 000008